(57)【要約】【課題】複数種類の携帯型機器を接続して使用することができ、優先順位の高い携帯型機器に応じた再生制御手順で速やかに音楽ファイルの再生を行う。【解決手段】車載機器２０を音楽ファイルを記憶する記憶媒体を有する複数種類の携帯型機器１０が電気的に接続される接続部２１と、接続部２１に携帯型機器１０が接続された際に、優先順位の高い接続手順の順に、当該携帯型機器１０と論理的な接続を試み、論理的に接続できた携帯型機器に応じた再生制御手順で音楽ファイルの再生制御を行う再生制御部２６とを備える構成とする。【選択図】図３
2008242373.tif 000002
【特許請求の範囲】
【請求項１】
音楽ファイルを記憶する記憶媒体を有する複数種類の携帯型機器が接続され、前記音楽ファイルの再生制御を行う車載機器であって、
前記携帯型機器が電気的に接続される接続部と、
前記接続部に前記携帯型機器が接続された際に、優先順位の高い接続手順の順に、当該携帯型機器と論理的な接続を試み、論理的に接続できた携帯型機器に応じた再生制御手順で前記音楽ファイルの再生制御を行う再生制御部と、
を備えることを特徴とする車載機器。
【請求項２】
請求項１記載の車載機器において、
過去に前記接続部に接続された携帯型機器の接続履歴を記憶する接続履歴記憶部と、
前記接続履歴記憶部に記憶された前記接続履歴に従って、前記優先順位を決定する優先順位決定部と、
を備えることを特徴とする車載機器。
【請求項３】
請求項２記載の車載機器において、
前記優先順位決定部は、前記接続部に前回接続された携帯型機器を最も優先順位の高い携帯型機器とすること、
を特徴とする車載機器。
【請求項４】
請求項２記載の車載機器において、
前記優先順位決定部は、前記接続履歴に従って、接続頻度の高い順に携帯型機器の優先順位を決定すること、
を特徴とする車載機器。
【請求項５】
請求項２記載の車載機器において、
複数種類の携帯型機器を、優先機器グループに含まれる優先順位の高い携帯型機器と、低優先機器グループに含まれる優先順位の低い携帯型機器とを設定するグループ設定部を備え、
前記優先順位決定部は、前記優先機器グループと、前記低優先機器グループのそれぞれにおいて接続履歴に従って優先順位を決定し、前記優先機器グループに含まれる携帯型機器の優先順位が前記低優先機器グループに含まれる携帯型機器の優先順位よりも高くなるようにすること、
を特徴とする車載機器。
【発明の詳細な説明】
【技術分野】
【０００１】
本発明は、車載機器に関し、特に音楽ファイルを記憶する記憶媒体を有する複数種類の携帯型機器と接続され、当該記憶媒体に記憶された音楽ファイルに基づく音響出力が可能に構成された車載機器に関する。
【背景技術】
【０００２】
従来から、ハードディスク装置等の記憶装置を備え、ハードディスク装置等に記憶された音楽ファイル等を再生して音響出力を行うようにした車載機器が知られている。また、この種の車載機器において、ＵＳＢ（Universal Serial Bus）接続型のフラッシュメモリ（以下、「ＵＳＢメモリ」という。）を外部記憶装置として接続可能に構成し、ＵＳＢメモリに記憶された音楽ファイルを再生して音響出力を行うようにしたものがある。
さらに、車載機器とＵＳＢ接続型の携帯型音楽再生装置とを接続可能に構成し、車載機器の制御下で、携帯型音楽再生装置に音楽ファイルの再生を行わせ、再生された音楽ファイルに基づいて車内に音響出力を行うように構成されたものも知られている（例えば、特許文献１参照）。
【特許文献１】特開２００６−２８７３７９号公報
【発明の開示】
【発明が解決しようとする課題】
【０００３】
ところで、近年、著作権保護の観点などから、携帯型音楽再生装置毎に所定のＤＲＭ（Digital Rights Management）技術が採用され、携帯型音楽再生装置に記憶された音楽ファイルの転送が制限されている。このため、従来の車載機器においては、特定の携帯型音楽再生装置のみ接続可能に構成されており、他の種類の携帯型音楽再生装置あるいはＵＳＢメモリが接続された場合には、これらの再生制御を行うことができないという課題があった。
このため、車載機器はＵＳＢメモリや携帯型音楽再生装置等、複数の種類の携帯型機器を接続して使用可能に構成することが好ましい。この際、車載機器に接続される携帯型機器は、ユーザの所有する特定の種類の携帯型機器である可能性が高いため、このような特定の種類の携帯型機器が接続された際に、速やかに音楽ファイルの再生制御を行うようにすることが好ましい。
本発明の課題は、複数種類の携帯型機器を接続して使用することができるように構成するとともに、優先順位の高い携帯型機器に応じた再生制御手順で速やかに音楽ファイルの再生を行うことのできる車載機器を提供することにある。
【課題を解決するための手段】
【０００４】
上記課題を解決するため、本発明の車載機器は、音楽ファイルを記憶する記憶媒体を有する複数種類の携帯型機器が接続され、前記音楽ファイルの再生制御を行う車載機器であって、前記携帯型機器が電気的に接続される接続部と、前記接続部に前記携帯型機器が接続された際に、優先順位の高い接続手順の順に、当該携帯型機器と論理的な接続を試み、論理的に接続できた携帯型機器に応じた再生制御手順で前記音楽ファイルの再生制御を行う再生制御部と、を備えることを特徴とする。
上記構成によれば、再生制御部は優先順位の高い接続手順の順に、携帯型機器と論理的な接続を試みて、論理的に接続できた携帯型機器に応じた再生制御手順で携帯型機器に記憶された音楽ファイルの再生制御を行うので、複数種類の携帯型機器を接続して使用することができるとともに、優先順位の高い携帯型機器に応じた再生制御手順で速やかに音楽ファイルの再生を行うことができる。
【０００５】
上記構成において、過去に前記接続部に接続された携帯型機器の接続履歴を記憶する接続履歴記憶部と、前記接続履歴記憶部に記憶された前記接続履歴に従って、前記優先順位を決定する優先順位決定部と備えることが好ましい。
上記構成によれば、過去に接続部に接続された携帯型機器の接続履歴に従って、優先順位を決定することができる。
【０００６】
また、上記構成において、前記優先順位決定部は、前記接続部に前回接続された携帯型機器を最も優先順位の高い携帯型機器とすることが好ましい。
また、前記優先順位決定部は、前記接続履歴に従って、接続頻度の高い順に携帯型機器の優先順位を決定してもよい。
【０００７】
さらに、上記構成において、複数種類の携帯型機器を、優先機器グループに含まれる優先順位の高い携帯型機器と、低優先機器グループに含まれる優先順位の低い携帯型機器とを設定するグループ設定部を備え、前記優先順位決定部は、前記優先機器グループと、前記低優先機器グループのそれぞれにおいて接続履歴に従って優先順位を決定し、前記優先機器グループに含まれる携帯型機器の優先順位が前記低優先機器グループに含まれる携帯型機器の優先順位よりも高くなるようにしてもよい。
【発明の効果】
【０００８】
本発明によれば、複数種類の携帯型機器を接続して使用することができ、優先順位の高い携帯型機器に応じた再生制御手順で速やかに音楽ファイルの再生を行うことができる。
【発明を実施するための最良の形態】
【０００９】
以下、図面を参照して、本発明の実施の形態を説明する。
図１に本実施の形態の車載機器２０の機能的構成を示す。図１に示す車載機器２０は、音楽ファイルを記憶する記憶媒体を有する複数種類のＵＳＢ機器１０を接続して使用することができ、ＵＳＢ機器１０に記憶された音楽ファイル、あるいは、ＵＳＢ機器１０において再生された音楽ファイルに基づいて、車内（図示略）に設置されたスピーカ３０から音響信号を出力可能に構成したものである。
【００１０】
本実施の形態では、車載機器２０に接続可能なＵＳＢ機器（携帯型機器）１０として、ＵＳＢメモリ１１、２種類の携帯型音楽再生装置１２、１３を例に挙げて説明する。これらのＵＳＢ機器１０はいずれもＵＳＢ接続端子１１ａ、１２ａ、１３ａを介して車載機器２０に物理的および電気的に接続されるもので、それぞれ所定の接続手順に従って車載機器２０と論理的に接続される。
ＵＳＢメモリ１１は、ＵＳＢ接続端子１１ａを有するフラッシュメモリの他、ＵＳＢ規格において定義されるマスストレージクラスに準拠したデバイスであればどのようなデバイスであってもよい。但し、ＵＳＢメモリ１１には、音楽ファイルが記憶されているものとして以下説明する。また、音楽ファイルはＭＰ３、ＷＭＡ、ＡＡＣ，ＡＴＲＡＣ、ＯＧＧなどの所定の圧縮形式（ファイル形式）により圧縮されて記憶されているものとする。
ＵＳＢメモリ１１が車載機器２０に接続された場合、車載機器２０はマスストレージクラスに準拠した接続手順（以下、Ａ方式の接続手順）で、ＵＳＢメモリ１１との論理的接続を行う。但し、車載機器２０はＵＳＢマスストレージクラスに準拠したドライバソフト（接続手順）を有しており、このドライバソフトに規定される手順に従って、ＵＳＢメモリ１１内に記憶された音楽ファイルを車載機器２０の制御の下、車載機器２０に対して転送する。また、ＵＳＢメモリ１１内の音楽ファイルを再生する再生制御手順をＡ方式の再生制御手順とし、車載機器２０はＵＳＢメモリ１１から転送された音楽ファイルをこのＡ方式の再生制御手順に従って再生する。
【００１１】
一方、携帯型音楽再生装置１２、１３はそれぞれＵＳＢ接続端子１２ａ、１３ａを備え、図示しない音楽ファイルを記憶する記憶媒体、音楽ファイルを再生する再生部等を有している。音楽ファイルはＭＰ３、ＷＭＡ、ＡＡＣ、ＡＴＲＡＣ、ＯＧＧなどの所定の圧縮形式により圧縮されて記憶媒体に記憶されており、車載機器２０の制御の下、指定された音楽ファイルを再生して車載機器２０に再生された音楽ファイルを転送するように構成されている。また、携帯型音楽再生装置１２、１３の記憶媒体に記憶されたこれらの音楽ファイルは、デジタル著作権管理（ＤＲＭ：Digital Rights Management）技術により、所定の暗号化処理等が施された上で、車載機器２０に転送される。各携帯型音楽再生装置１２、１３ではそれぞれ異なるＤＲＭ技術を採用している。例えば、一方の携帯型音楽再生装置１２はＢ方式のＤＲＭ技術が採用されており、他方の携帯型音楽再生装置１３はＣ方式のＤＲＭ技術が採用されており、ホスト機器としての車載機器２０には各携帯型音楽再生装置１２、１３のＤＲＭ技術に対応する所定の音楽ファイル再生制御用プログラム（ソフト）を用いて、所定の接続手順に従って携帯型音楽再生装置１２、１３と認証処理を行い、認証に成功しなければ、携帯型音楽再生装置１２、１３と論理的に接続することは出来ず、また、音楽ファイルの再生制御を行うことができないようになっている。以下、携帯型音楽再生装置１２と論理的に接続するための接続手順をＢ方式の接続手順とし、携帯型音楽再生装置１２の記憶媒体に記憶された音楽ファイルの再生制御を行うための音楽ファイル再生制御用プログラムをＢ方式の再生制御手順とする。同様に携帯型音楽再生装置１３に応じた接続手順をＣ方式の接続手順とし、再生制御手順をＣ方式の再生制御手順とする。
【００１２】
一方、車載機器２０は、ＵＳＢ機器１０を接続するためのＵＳＢ接続部（接続部）２１と、ＵＳＢ接続部２１を介してＵＳＢ機器１０（主としてＵＳＢメモリ１１）から転送された音楽ファイルの伸張処理等を行う音楽再生部２２と、音楽再生部２２において再生されたデジタル信号としての音響信号に対して音質調整処理、音量調整処理等の各種処理を施すオーディオＤＳＰ２３と、オーディオＤＳＰにおいて各種処理が施されたデジタル信号としての音響信号をアナログ信号に変換するＤ／Ａコンバータ２４ａおよびアナログ信号としての音響信号を増幅してスピーカ３０に出力するアンプ２４ｂとを有する音声出力部２４とを備えている。
【００１３】
上記のＵＳＢ接続部２１は、更に、ＵＳＢ機器１０が有するＵＳＢ接続端子１１ａ、１２ａ、１３ａを物理的に接続するためのＵＳＢコネクタ２１ａと、ＵＳＢ規格において定義されるＵＳＢの物理層、論理層の制御を行う制御ＬＳＩ（Large Scale Integration）であるＵＳＢコントローラ２１ｂとを備えている。
また、上記の音楽再生部２２は、圧縮された音楽ファイルの伸張処理等を行うデコーダ２２ａと、デコーダ２２ａが伸張処理等を実行するために用いる動作用メモリであるＤＲＡＭ２２ｂとを備えている。
【００１４】
車載機器２０は、上述の構成に加えて、更に、操作内容や各種情報を表示するとともにユーザからの操作入力を受け付ける操作表示部２５と、当該車載機器２０の各部を制御する制御部（再生制御部、優先順位決定部）２６とを備えている。
操作表示部２５は、車載機器２０から出力される各種データに従って、操作内容や各種情報を表示するディスプレイ装置２５ａと、ユーザにより押下操作される操作キー２５ｂおよびディスプレイ装置２５ａに設けられるタッチパネル等の操作手段と、ディスプレイ装置２５ａの表示制御や上記操作手段を介して入力される操作信号を制御部２６に出力する表示／操作キー制御部２５ｃとを備えている。
【００１５】
制御部２６は、図示しないＣＰＵ、ＲＡＭ、ＲＯＭ等を備え、制御部２６において、ＣＰＵはＲＯＭ等に記憶された各種制御プログラムに従ってＲＡＭの一部を作業領域として各種演算を行うことにより、これらの協働の下、各種処理を実行するものである。制御部２６は、ＲＯＭ等に記憶された各種制御プログラムに従った処理を実行することにより、車載機器２０の各部を制御する。制御部２６のＲＯＭ等にはＵＳＢメモリ１１または、図示しないハードディスク装置等に記憶された音楽ファイルを音楽再生部２２等を制御して再生する際に用いる音楽ファイル再生制御用プログラムの他、各携帯型音楽再生装置１２、１３に対して音楽ファイルの再生や再生された音楽ファイルの転送等を制御するために用いる音楽ファイル再生制御用プログラムが記憶されている。制御部２６は、ＵＳＢ接続部２１を介して接続されたＵＳＢ機器１０に応じた音楽ファイル再生制御用プログラムに従って、ＵＳＢ機器１０に記憶された音楽ファイルを所定の再生制御手順に従って再生させ、スピーカ３０から音響出力されるように制御する。
【００１６】
ここで、車載機器２０に接続されるＵＳＢ機器１０は、Ａ方式の接続手順に従うＵＳＢメモリ１１、Ｂ方式の接続手順に従う携帯型音楽再生装置１２、Ｃ方式の接続手順に従う携帯型音楽再生装置１３等であり、車載機器２０ではＵＳＢ機器１０が接続されるまでそれがどのＵＳＢ機器１０であるかを識別することはできないが、車載機器２０に接続されるＵＳＢ機器１０はユーザの有する特定の種類のＵＳＢ機器１０である場合が多い。そこで、本実施の形態の車載機器２０では、制御部２６のＲＯＭには、ＲＯＭ等に記憶された優先順位の高い接続手順の順に、ＵＳＢ機器１０と論理的な接続を試み、論理的に接続できたＵＳＢ機器１０に応じた再生制御手順に従って、ＵＳＢ機器１０の記憶媒体に記憶された音楽ファイルを再生させる再生制御動作を行うように構成されている。これにより、例えば、最も優先順位の高い接続手順に従うＵＳＢ機器１０がＵＳＢ接続部２１に接続された場合、車載機器２０とＵＳＢ機器１０との間で論理的な接続を確立し、速やかにＵＳＢ機器１０に記憶された音楽ファイルの再生制御を行うことができる。
【００１７】
以下、図２を参照して、制御部２６の制御の下で実行される優先順位決定処理について説明する。本実施の形態では、ユーザが操作表示部２５に表示される操作メニュー等に基づいてユーザが操作を行うことにより、初期設定としての優先順位を決定させることができる。
まず、制御部２６は、操作表示部２５のディスプレイ装置２５ａに、ユーザに対して優先順位一位の接続手順をＡ方式、Ｂ方式、Ｃ方式の中から選択させるように促す表示を行い、タッチパネル等の操作によりユーザが優先順位一位の接続手順を選択入力するのを待機する（ステップＳ１）。ステップＳ１において、ＵＳＢメモリ１１に対応するＡ方式の接続手順が優先順位一位の接続手順として選択された場合（ステップＳ１：Ａ）、次に、制御部２６はディスプレイ装置２５ａに、ユーザに対して優先順位二位の接続手順をＢ方式、Ｃ方式の中から選択させるように促す表示を行い、タッチパネル等の操作によりユーザが優先順位二位の接続手順を選択入力するのを待機する（ステップＳ２）。ステップＳ２において、ユーザがＢ方式の接続手順を優先順位二位の接続手順として選択した場合（ステップＳ２：Ｂ）、優先順位一位から三位の接続手順は、一位から順にＡ方式、Ｂ方式、Ｃ方式と決定され、この優先順位は制御部２６のＲＡＭ等に初期設定値として記憶される。また、ステップＳ２において、ユーザが優先順位二位の接続手順としてＣ方式を選択した場合（ステップＳ２：Ｃ）、優先順位一位から三位の接続手順は、一位から順にＡ方式、Ｃ方式、Ｂ方式と決定され、上記と様に、ＲＡＭ等に初期設定値として記憶される（ステップＳ４）。
【００１８】
一方、ステップＳ１において、優先順位一位の接続手順がＢ方式であるとユーザにより選択された場合（ステップＳ１：Ｂ）、次に優先順位二位の接続手順の選択を待ち（ステップＳ５）、優先順位二位の接続手順としてＡ方式が選択された場合（ステップＳ５：Ａ）、優先順位一位から三位の接続手順は、一位から順にＢ方式、Ａ方式、Ｃ方式と決定され、ＲＡＭ等に格納される（ステップＳ６）。また、ステップＳ５において、優先順位二位の接続手順としてＣ方式が選択された場合には、優先順位一位から三位の接続手順は一位から順にＢ方式、Ｃ方式、Ａ方式と決定され、ＲＡＭ等に格納される（ステップＳ７）。
【００１９】
また、ステップＳ１において、優先順位一位の接続手順がＣ方式であるとユーザにより選択された場合（ステップＳ１：Ｃ）、次に優先順位二位の接続手順の選択を待ち（ステップＳ８）、優先順位二位の接続手順としてＡ方式が選択された場合（ステップＳ８：Ａ）、優先順位一位から三位の接続手順は、一位から順にＣ方式、Ａ方式、Ｂ方式と決定され、ＲＡＭ等に格納される（ステップＳ９）。また、ステップＳ８において、優先順位二位の接続手順としてＢ方式が選択された場合には、優先順位一位から三位の接続手順は一位から順にＣ方式、Ｂ方式、Ａ方式と決定され、ＲＡＭ等に格納される（ステップＳ１０）。
以上の優先順位の決定に際して、初期設定値はユーザにより設定されるものとして説明したが、例えば、過去の接続履歴に基づいて、ＵＳＢ接続部２１に接続された頻度の高い順に優先順位一位から三位を決定するようにしてもよい。また、優先順位一位〜三位までを順に選択入力するのではなく、ユーザが優先順位一位〜三位を同時にユーザが指定するものとしてもよい。
【００２０】
次に、図３を参照して、制御部２６の制御の下で実行される、再生制御処理について説明する。
制御部２６は、ＵＳＢ接続部２１にＵＳＢ機器１０が接続されたことを検出すると（ステップＳ１１：Ｙ）、ＲＡＭ等に記憶された優先順位に従って、まず、優先順位一位の接続手順に従ってＵＳＢ機器１０と論理的な接続を試み、例えば、所定の時間内に論理的な接続に成功したか否かを判別する（ステップＳ１２）。ここで、例えば、優先順位一位の接続手順がＵＳＢメモリ１１に対応するものである場合、ＵＳＢマスストレージクラスのドライバソフトに規定される手順に従って、ＵＳＢ機器１０と論理的な接続を試みる。
優先順位一位の接続手順で所定の時間内に論理的に接続できた場合（ステップＳ１２：Ｙ）、次に、制御部２６は、優先順位一位の接続手順に対応するＵＳＢ機器１０に応じた再生制御手順（優先順位一位の再生制御手順）に従って音楽ファイルの再生制御を行う（ステップＳ１３）。例えば、ＵＳＢメモリ１１に記憶された音楽ファイルを再生するための音楽ファイル再生制御用プログラムを起動して、ＵＳＢメモリ１１から音楽ファイルの転送を受け、当該音楽ファイル再生制御用プログラムに規定される再生制御手順に従って音楽再生部２２に音楽ファイルを再生させる。
【００２１】
一方、優先順位一位の接続手順で所定の時間内に論理的に接続できなかった場合（ステップＳ１２：Ｎ）、次に、制御部２６は優先順位二位の接続手順でＵＳＢ機器１０と論理的な接続を試み、所定の時間内にＵＳＢ機器１０と論理的に接続できたか否かを判別する（ステップＳ１４）。所定の時間内にＵＳＢ機器１０と、優先順位二位の接続手順でＵＳＢ機器１０と論理的に接続できた場合（ステップＳ１４：Ｙ）、この優先順位二位の接続手順に対応するＵＳＢ機器１０に応じた再生制御手順（優先順位二位の再生制御手順）に従って音楽ファイルの再生制御を行う。例えば、優先順位二位の接続手順が、Ｂ方式である場合、制御部２６はＢ方式の接続手順に従って、ＵＳＢ機器１０と論理的な接続を試み、ＵＳＢ機器１０と論理的に接続できた場合、Ｂ方式を採用するＵＳＢ機器１０（携帯型音楽再生装置１２）に応じた再生制御手順（優先順位二位の再生制御手順）に従って、音楽ファイルの再生制御を行う（ステップＳ１５）。
【００２２】
そして、ＲＡＭ等に記憶された優先順位を更新して処理を終了する（ステップＳ１６）。ここで、優先順位の更新に際して、制御部２６は、過去にＵＳＢ接続部２１に接続されたＵＳＢ機器１０の接続履歴を更新するとともに、更新された接続履歴に従って、優先順位を新たに決定し、新たに決定された優先順位をＲＡＭ等に記憶させることができる。
優先順位は、ＵＳＢ接続部２１に前回接続されたＵＳＢ機器１０を優先順位の最も高いものとして決定することができる。また、ＵＳＢ接続部２１に接続される頻度の最も高いＵＳＢ機器１０を優先順位の最も高いＵＳＢ機器１０とすることができる。優先順位の二位以下は、接続頻度に応じて接続頻度の高い順に、優先順位を設定してもよいし、ＵＳＢ接続部２１に接続された履歴の新しい順に、優先順位を設定してもよい。
【００２３】
ステップＳ１４において、優先順位二位の接続手順で所定の時間内に論理的に接続できなかった場合（ステップＳ１４：Ｎ）、次に、制御部２６は優先順位三位の接続手順でＵＳＢ機器１０と論理的な接続を試み、所定の時間内にＵＳＢ機器１０と論理的に接続できたか否かを判別する（ステップＳ１７）。所定の時間内にＵＳＢ機器１０と、優先順位三位の接続手順でＵＳＢ機器１０と論理的に接続できた場合（ステップＳ１７：Ｙ）、この優先順位三位の接続手順に対応するＵＳＢ機器１０に応じた再生制御手順（優先順位三位の再生制御手順）に従って音楽ファイルの再生制御を行う。例えば、優先順位三位の接続手順が、Ｃ方式である場合、制御部２６はＣ方式の接続手順に従って、ＵＳＢ機器１０と論理的な接続を試み、ＵＳＢ機器１０と論理的に接続できた場合、Ｃ方式を採用するＵＳＢ機器１０（携帯型音楽再生装置１３）に応じた再生制御手順（優先順位三位の再生制御手順）に従って、音楽ファイルの再生制御を行い（ステップＳ１８）、優先順位の更新を上述したように行い（ステップＳ１６）、処理を終了する。
【００２４】
また、優先順位三位の接続手順で所定の時間内に論理的に接続できなかった場合（ステップＳ１７：Ｎ）、次に、制御部２６はＵＳＢメモリとして、ＵＳＢ機器１０と接続可能か否かを判別する（ステップＳ１９）。車載機器２０に接続して使用することのできるＵＳＢ機器１０が図１に示すように、ＵＳＢメモリ１１と２種類の携帯型音楽再生装置１２、１３であった場合に、例えば、Ｄ方式のＤＲＭ技術が採用されたＵＳＢ機器１４が接続された際には、上記Ａ方式、Ｂ方式、Ｃ方式の接続手順では、所定の時間内に論理的に接続できないことが考えられる。しかしながら、車載機器２０は、Ｄ方式の接続手順や再生手順に従ってＵＳＢ機器１４と論理的に接続することができないが、ＵＳＢ機器１４がＵＳＢマスストレージクラスに準拠している場合には、ＵＳＢ機器１４とＵＳＢマスストレージクラスに準拠した接続手順でＵＳＢ機器１４と接続することができる場合がある。そこで、制御部２６は、ステップＳ１９において、ＵＳＢメモリとしてＵＳＢ機器１０（ＵＳＢ機器１４）と接続できるか否かを判別し、ＵＳＢメモリとして接続することが出来ると判別した場合（ステップＳ１９：Ｙ）、ＵＳＢメモリ１１の再生制御手順に従って、音楽ファイルの再生制御を行う（ステップＳ２０）。そして、接続履歴、優先順位の更新を行って（ステップＳ１６）、処理を終了する。
一方、ＵＳＢメモリとしても接続することができない場合（ステップＳ１９：Ｎ）、操作表示部２５のディスプレイ装置２５ａにエラー表示を行って処理を終了する。
【００２５】
以上説明した本実施の形態によれば、再生制御部としての制御部２６は優先順位の高い接続手順の順に、ＵＳＢ機器１０と論理的な接続を試みて、論理的に接続できたＵＳＢ機器１０に応じた再生制御手順でＵＳＢ機器１０に記憶された音楽ファイルの再生制御を行うので、複数種類のＵＳＢ機器１０を接続して使用することができるとともに、優先順位の高いＵＳＢ機器１０に応じた再生制御手順で速やかに音楽ファイルの再生を行うことができる。
【００２６】
また、上記実施の形態によれば、優先順位の初期設定値をユーザにより選択させた上で、ＵＳＢ接続部２１に接続されたＵＳＢ機器１０の接続履歴に基づいて、新たな優先順位を決定して、ユーザのＵＳＢ機器１０の使用状況に応じた優先順位に更新していくことで、常にユーザが車載機器２０に接続して使用する可能性の高いＵＳＢ機器１０の優先順位を高くすることができる。
【００２７】
以上、説明した本実施の形態は本発明の一態様であり、本発明の趣旨を逸脱しない範囲において適宜変更可能であるのは勿論である。例えば、上記実施の形態ではＵＳＢメモリ１１と２種類の携帯型音楽再生装置１２、１３の３種類のＵＳＢ機器１０と、所定（上記例ではＤ方式）のＤＲＭ技術を採用した携帯型音楽再生装置であるがＵＳＢメモリとして接続可能なＵＳＢ機器１４を接続可能に構成したが、車載機器２０に接続可能なＵＳＢ機器１０の数や種類はこれらに限定されるものではなく、接続手順等の異なる複数種類のＵＳＢ機器１０が接続可能に構成されていればよい。
【００２８】
また、図３に示した再生制御処理について、例えば、操作表示部２５のディスプレイ装置２５ａ等に、現在、どの接続手順でＵＳＢ機器１０との論理的接続を試みているのか、あるいは優先順位何位の接続手順でＵＳＢ機器１０との論理的接続を試みているのかを表示するようにしてもよい。また、例えば、当該接続手順をスキップさせて、次の優先順位の接続手順でＵＳＢ機器１０との論理的な接続を行わせるようにするための、スキップキーを操作キー２５ｂ等として設けてもよい。この様なスキップキーがあれば、ユーザは現在ＵＳＢ接続部２１に接続しているＵＳＢ機器１０に応じた接続手順で速やかに論理的な接続が確立されるようにすることができる。
【００２９】
また、上記実施の形態では、ＵＳＢ機器１０の優先順位を決定する際に優先順位一位〜三位までを決定する例を説明したが、例えば、操作表示部２５等を介してユーザに複数種類のＵＳＢ機器１０を、優先機器グループに含まれる優先順位の高いＵＳＢ機器１０と、低優先機器グループに含まれる優先順位の低いＵＳＢ機器１０とを設定させておき、ＵＳＢ接続部２１に接続された接続履歴に従って優先順位を新たに決定する際に、制御部２６により優先機器グループと、低優先機器グループのそれぞれにおいて接続履歴に従って優先順位を決定させ、優先機器グループに含まれるＵＳＢ機器１０の優先順位が低優先機器グループに含まれるＵＳＢ機器１０の優先順位よりも高くなるようにしてもよい。この場合、優先順位を決定するに際して、具体的には図４に示すように、制御部２６はまず優先機器グループに含まれるＵＳＢ機器の個数を読み出す（ステップＳ３１）。ここで、優先機器グループに含まれるＵＳＢ機器の個数がｎ個だった場合、優先機器グループ内に含まれるＵＳＢ機器１０の中で、優先順位一位からｎ位までの優先順位を接続履歴に応じて決定する（ステップＳ３２）。次いで、低優先機器グループ内に含まれるＵＳＢ機器１０の中で、優先順位（ｎ＋１）位以降の優先順位を決定する（ステップＳ３３）。なお、複数種類のＵＳＢ機器１０は、優先機器グループまたは低優先機器グループのどちらかのグループに振り分けられるものとする。
【００３０】
例えば、ユーザが所有しているＵＳＢ機器１０がＵＳＢメモリ１１と携帯型音楽再生装置１２である場合、このＵＳＢメモリ１１と携帯型音楽再生装置１２とを優先機器グループとし、携帯型音楽再生装置１３を低優先機器グループとすることで、ユーザが所有しているＵＳＢ機器１０（ＵＳＢメモリ１１、携帯型音楽再生装置１２）の優先順位を常に高くすることができ、他のＵＳＢ機器１０の優先順位を低くすることができる。これにより、同乗者等の所有するＵＳＢ機器１０（例えば、携帯型音楽再生装置１３）が一時的に車載機器２０に接続して使用された場合にも、この低優先機器グループに含まれるＵＳＢ機器１０（携帯型音楽再生装置１３）の優先順位は優先機器グループに含まれるＵＳＢ機器１０（ＵＳＢメモリ１１、携帯型音楽再生装置１２）の優先順位よりも低く設定されるので、次に、ユーザが自らの所有するＵＳＢ機器１０（ＵＳＢメモリ１１、携帯型音楽再生装置１２）を車載機器２０に接続して使用した場合にも、速やかに音楽ファイルの再生を行うことができる。なお、この場合も優先機器グループに含まれるＵＳＢ機器１０と、低優先機器グループに含まれるＵＳＢ機器１０とを予め設定しておいてもよい。
【００３１】
また、携帯型機器の例としてＵＳＢ接続端子１１ａ、１２ａ、１３ａを介して車載機器２０に接続されるＵＳＢ機器１０（ＵＳＢメモリ１１、携帯型音楽再生装置１２、１３、ＵＳＢ機器１４）を例に挙げて説明したが、携帯型機器はＵＳＢ端子を介して車載機器２０に接続されるものに限定されず、例えば、Ｂｌｕｅｔｏｏｔｈ（登録商標）などの無線通信技術等を利用して車載機器２０に接続されるＢｌｕｅｔｏｏｔｈ技術対応の携帯型機器であってもよい。
【図面の簡単な説明】
【００３２】
【図１】本実施の形態に係る車載機器の機能的構成を示す図である。
【図２】本実施の形態における優先順位決定処理を示すフローチャートである。
【図３】本実施の形態における再生制御処理を示すフローチャートである。
【図４】本実施の形態における他の優先順位決定処理を示すフローチャートである。
【符号の説明】
【００３３】
１０  ＵＳＢ機器
１１  ＵＳＢメモリ
１１ａ  ＵＳＢ接続端子
１２、１３  携帯型音楽再生装置
１２ａ、１３ａ  ＵＳＢ接続端子
２０  車載機器
２１  ＵＳＢ接続部（接続部）
２２  音楽再生部
２２ａ  デコーダ
２２ｂ  ＤＲＡＭ
２３  オーディオＤＳＰ
２４  音声出力部
２４ａ  Ｄ／Ａコンバータ
２４ｂ  アンプ
２５  操作表示部
２６  制御部（再生制御部、通常再生制御部）
３０  スピーカ
【図１】
2008242373.tif 000003
【図２】
2008242373.tif 000004
【図３】
2008242373.tif 000005
【図４】
2008242373.tif 000006